(57)【要約】【課題】本発明は、ユーザーがフォルダ内を逐次参照することなしにフォルダ内のコンテンツファイルの利用状況等が把握できるよう、フォルダによるコンテンツファイルの管理機能を備えた記録再生装置において、当該フォルダ内に含まれる各コンテンツファイルの管理履歴情報に基づき必要な情報をフォルダに関連付けられた利用マークとして出力表示することができる記録再生装置を提供する。【解決手段】コンテンツファイル管理部でコンテンツファイルを複数のフォルダを用いて管理し、コンテンツファイルに関する様々な管理履歴情報を管理履歴情報保持部で保持し、ＧＵＩ部でフォルダに含まれる各コンテンツファイルの管理履歴情報に基づいて判断を行い、その結果から適当な利用マークを取得し、当該フォルダのフォルダマークと関連付けて出力する。【選択図】図２
2007109334.tif 000002
【特許請求の範囲】
【請求項１】
コンテンツファイルを複数のフォルダを用いて管理するコンテンツファイル管理部と、
コンテンツファイルの管理履歴情報を保持する管理履歴情報保持部と、
フォルダに含まれるコンテンツファイルの管理履歴情報に基づいた利用マークをフォルダマークに関連付けて出力するＧＵＩ部と、
を有する記録再生装置。
【請求項２】
ＧＵＩ部は、利用マークヘルプ情報をフォルダマーク及び利用マークと同一ページに表示するためのヘルプ情報出力手段を有する請求項１に記載の記録再生装置。
【請求項３】
ＧＵＩ部は、管理履歴情報に基づいてコンテンツファイルの再生・未再生を示す再生・未再生情報を抽出し、抽出した再生・未再生情報に基づいて利用マークである再生・未再生マークを出力するための再生・未再生マーク出力手段を有する請求項１又は２に記載の記録再生装置。
【請求項４】
ＧＵＩ部は、管理履歴情報に基づいてコンテンツファイルの再生頻度情報を抽出し、抽出した再生頻度情報に基づいて再生頻度を示す利用マークである再生頻度マークを出力するための再生頻度マーク出力手段を有する請求項１から３のいずれか一に記載の記録再生装置。
【請求項５】
ＧＵＩ部は、管理履歴情報に基づいてコンテンツファイルの保持期間情報を抽出し、抽出した保持期間情報に基づいて保持期間を示す利用マークである保持期間マークを出力するための保持期間マーク出力手段を有する請求項１から４のいずれか一に記載の記録再生装置。
【請求項６】
ＧＵＩ部は、利用マークを出力する手段を複数有し、複数の利用マーク出力手段からいずれか一以上を選択する利用マーク出力手段選択手段を有する請求項１から５のいずれか一に記載の記録再生装置。
【請求項７】
ＧＵＩ部は、
利用マークとして、グラフィックマークを生成する情報であるグラフィックマーク生成情報を出力するグラフィックマーク生成情報出力手段を有する請求項１から６のいずれか一に記載の記録再生装置。
【請求項８】
ＧＵＩ部のグラフィックマーク生成情報出力手段は、グラフィックマークとしてフォルダマークを出力するフォルダマーク出力器と、
ＧＵＩ部にて表示されているフォルダマークを前記フォルダマーク出力器から出力されるフォルダマークに代えて表示するフォルダマーク変更器と、
を有する請求項７に記載の記録再生装置。
【請求項９】
ＧＵＩ部は、
利用マークとして、複数種類の音声マークを生成する情報である音声マーク生成情報を出力する音声マーク生成情報出力手段を有する請求項１から８のいずれか一に記載の記録再生装置。
【請求項１０】
コンテンツファイルを複数フォルダを用いて管理する記録再生装置動作方法であって、
フォルダに含まれる各コンテンツファイルに関して、利用マークを表示する上で必要な管理履歴情報を、これを保持する管理履歴情報保持部からから抽出する管理履歴情報抽出ステップと、
前記管理履歴情報抽出ステップでの抽出結果に基づいて利用マークを当該コンテンツファイルを含むフォルダのフォルダマークと関連付ける利用マーク関連付けステップと、
前記利用マーク関連付けステップで利用マークと関連付けられたフォルダマークを、その利用マークとともに出力する利用マーク出力ステップと、
を有する記録再生装置動作方法。
【請求項１１】
前記利用マーク関連付けステップは、
関連付けるべき利用マークを、抽出結果に応じて複数の利用マークから選択して関連付けを行う利用マーク選択ステップをさらに有する請求項１０に記載の記録再生装置動作方法。
【発明の詳細な説明】
【技術分野】
【０００１】
本発明は、コンテンツファイルをフォルダ管理する機能を備えた記録再生装置に関する。
【背景技術】
【０００２】
ハードディスクドライブ（以下ＨＤＤとする。）のような記録媒体を有する記録再生装置では、コンテンツファイルの管理が当該コンテンツファイルの蓄積数の増大に伴って困難となってくる。このような場合は、フォルダによって複数のコンテンツファイルを分類し、管理することができれば便利である。実際にフォルダ、若しくはディレクトリ等による分類管理の機能を有する記録再生装置は、現在市場に多数流通している。
【０００３】
一方、記録媒体に記録されたコンテンツファイルをリスト画面等で表示する際に、各コンテンツファイルに関する再生済み／未再生、あるいは最新再生日時等の履歴情報を、アイコン等のマークを用いてそのコンテンツファイルと関連付けて表示する、という具合の履歴情報表示機能を有する記録再生装置も公知技術として存在する。また、特許文献１では、途中再生のコンテンツファイルに関して再生済部分に含まれるシーンのサムネイル画像を表示することで、そのコンテンツファイルの再生履歴や前回再生時のシーンの確認を行うことができる再生装置が開示されている。
【０００４】
また、当該機能と前記フォルダによる管理機能の両者を有する記録再生装置も知られている。当該装置によれば、履歴情報をマークで表示した複数のコンテンツファイルをフォルダによって分類し、管理することができる。
【特許文献１】特開２００３−２６４７８３号公報
【発明の開示】
【発明が解決しようとする課題】
【０００５】
しかし、上記フォルダ分類管理機能と履歴情報表示機能の両機能を有する従来の記録再生装置であっても、以下のような場合、ユーザーが所望するコンテンツファイルがどのフォルダ内に管理されているのか、を見つけ出すことは困難で手間がかかる、という大きな問題があった。例えば、記録したコンテンツファイルを再生前にいずれかのフォルダに移してしまった、若しくは自動処理によっていずれかのフォルダに移されてしまった場合である。このような場合、例えコンテンツファイルに未再生のマークが表示されていても、その未再生のコンテンツファイルがどのフォルダに含まれているのかは、結局ユーザーがフォルダを一つ一つ開いて探さねばならない。また、仮にどのフォルダに移したかがわかっていても、そのフォルダ内に膨大な数のコンテンツファイル等が管理されており、かつさらにフォルダによって階層構造が成されている場合もある。この場合も目的の未再生のコンテンツファイルがどの階層のフォルダに含まれているのかを確認するためには、結局ユーザーが全てを目視で探さなければならない。このように従来の記録再生装置は、目的とするコンテンツファイルの探索の面倒さがやはり存在し、フォルダによる管理機能とコンテンツファイルの履歴情報表示機能を十分に生かしきれていないという問題があった。また、探索されずに放置され、時間経過と共にその存在自体が忘れられたコンテンツファイルがフォルダ内に埋没したままになる可能性もある、という問題もあった。
【０００６】
そして、このような問題は記録されたコンテンツファイル数やフォルダ数が多くなるほど顕著となってくる。したがって２００５年現在１２ヶ月で２倍という、いわゆる半導体集積密度における「ムーアの法則」を超えるペースで記録容量が増大し、それにともないコンテンツファイルの記録可能数等が増大する一方である現状を鑑みて、何らかの対策を備えた記録再生装置が必要となってくる。
【課題を解決するための手段】
【０００７】
上記問題を解決するために本発明では、フォルダを示すフォルダマークの表示において、当該フォルダ内に含まれる各コンテンツファイルの再生済み／未再生等の管理履歴情報に基づき、例えば「フォルダ内に未再生ファイルあり」ということを示す利用マークをフォルダマーク上や近傍等にグラフィカルに、あるいは音声や振動等で表示する機能を備えた記録再生装置を提供する。具体的には、本発明は、コンテンツファイル管理部がコンテンツファイルを複数のフォルダを用いて管理し、管理履歴情報保持部が当該コンテンツファイル管理部におけるコンテンツファイルの管理履歴情報を保持し、ＧＵＩ部がフォルダマーク及び、フォルダに含まれるコンテンツファイルの管理履歴情報に基づいて必要な情報を抽出し、その抽出結果に応じて再生・未再生マーク、再生頻度マーク、保持期間マーク等の一以上の適当な利用マークを取得し、フォルダマークに関連付けて出力する構造を備える記録再生装置である。
【０００８】
また、ユーザーがフォルダマークとともに表示される利用マークの意味する履歴内容を知らなくても、ヘルプ機能によってその利用マークが伝達すべき情報を把握することができる記録再生装置も提供する。本発明は前記ＧＵＩ部がヘルプ情報出力手段によって利用マークヘルプ情報をフォルダマーク及び利用マークと同一ページに表示する記録再生装置である。また、本発明はグラフィックマーク生成情報出力手段や音声マーク生成情報出力手段によってグラフィックマーク生成情報や音声マーク生成情報を出力することで複数種類の利用マークを表示する構造を備える記録再生装置も提供する。また、さらに、フォルダ内に利用マークを表示可能なコンテンツファイルが複数ある場合に、その複数のコンテンツファイルに関する利用マークの中から選択して関連付けを行うことができる記録再生装置も提供する。
【発明の効果】
【０００９】
以上の構成をとる本発明の記録再生装置により、フォルダを示すフォルダマークの表示において、例えばその「フォルダ内に未再生ファイルあり」ということを示す利用マークを（例えばグラフィカルな表示や音声、振動等の出力により）表示することができる。したがって、ユーザーはフォルダ内を逐次参照することなしに、フォルダで管理されているコンテンツファイルの未再生等の履歴を容易に確認することができる。また、本発明の別の記録再生装置によれば、ユーザーが利用マークの意味を知らなくてもヘルプ機能によってその利用マークが伝達すべき情報を把握することができる。さらに、フォルダ内に利用マークを表示可能なコンテンツファイルが複数ある場合に、その複数のコンテンツファイルに関する複数の利用マークから選択して関連付けを行い表示することができる。したがって表示画面に利用マークが多数表示され表示画面自体が視認しづらくなる、といった事態の発生を防ぐことができる。
【発明を実施するための最良の形態】
【００１０】
以下に、各発明を実施するための最良の形態を説明する。なお、本発明はこれらの実施の形態に何ら限定されるものではなく、その要旨を逸脱しない範囲において、種々なる様態で実施しうる。
【００１１】
実施形態１は、主に請求項１、１０について説明する。また、実施形態２は、主に請求項２について説明する。また、実施形態３は、主に請求項３から５について説明する。また、実施形態４は、主に請求項６、１１について説明する。また、実施形態５は、主に請求項７から９について説明する。
【００１２】
<<実施形態１>>
<実施形態１：概要>  実施形態１について説明する。本実施形態は、コンテンツファイルの管理履歴情報に基づいた利用マークをフォルダマークと関連付けて出力することで、フォルダ内のコンテンツファイルの再生済み／未再生等の履歴情報をユーザーに容易に伝達することを特徴とする記録再生装置である。
【００１３】
図１は本実施形態の記録再生装置により表示されるＧＵＩ機能を備えた表示画面の一例である。この図では、記録再生装置がデジタルビデオレコーダ、コンテンツファイルがテレビ番組の録画コンテンツファイル、そしてフォルダマーク（０１０１）がフレーム形状であって、複数のフォルダマークが集合したリスト（０１０２）として表示されている。ユーザーはリモコン等の入力デバイスでこのリストの中から所望のフォルダマークを選択し、そのフォルダに分類されているコンテンツファイルの確認や再生視聴等を行うことができる。
【００１４】
そして、この表示画面中のフォルダマーク内には、当該フォルダを識別するためのフォルダ番号（０１０３）やフォルダ名（０１０４）、あるいはそのフォルダの管理コンテンツファイルの数（０１０５）、等が表示されている。例えば、フォルダ１で表されるフォルダ内ではドラマの録画コンテンツファイルを２１コンテンツファイル、またフォルダ２で表されるフォルダ内ではサッカーの録画コンテンツファイルを１０コンテンツファイル管理していることが確認できる。しかし、これだけでは各フォルダ内に録画後、途中まで再生も含み未再生のコンテンツファイルがあるか否かまでは判断できないため、ユーザーは未再生のコンテンツファイルがどこにあるのかを一つ一つのフォルダを開いて探さなければならず面倒である。
【００１５】
そこで、本実施形態の記録再生装置ではフォルダの管理下にある（フォルダが抽象的に有している）録画コンテンツファイルの中に未再生の録画コンテンツファイルが存在する場合には、アイコン等の利用マークを当該フォルダマーク上に表示する。これによってユーザーは一見してその存在を確認できるようになっている。例えば、図１の場合であれば、未再生の録画コンテンツファイルの存在を示す利用マークであるアイコン「ＮＥＷ」（０１０６）をフレーム形状で表示されたフォルダ１のフォルダマーク内に表示する。これによって、ユーザーはフォルダ１をいちいち開かなくとも、そのフォルダ１内にまだ見ていない録画コンテンツファイルがあることを一見して知ることができる。
【００１６】
<実施形態１：構成>  図２は、実施形態1の構成の一例を示す機能ブロック図である。この図に示す本実施形態の記録再生装置（０２００）は、コンテンツファイル管理部（０２０１）と、管理履歴情報保持部（０２０２）と、ＧＵＩ部（０２０３）とを有する。
【００１７】
本件発明の構成要素である各部は、ハードウェア、ソフトウエア、ハードウェアとソフトウエアの両者、のいずれかによって構成される。たとえば、これらを実現する一例として、コンピュータを利用する場合には、ＣＰＵ、メモリ、バス、インターフェース、周辺装置等から構成されるハードウェアと、これらのハードウェア上にて実行可能なソフトウエアを挙げることができる。具体的には、メモリ上に展開されたプログラムを順次実行することで、メモリ上のデータや、インターフェースを介して入力されるデータの加工、蓄積、出力等により各部の機能が実現される（本明細書の全体を通じて同様である。）。以下、本実施形態の各構成要素について説明する。
【００１８】
「記録再生装置」（０２００）とは、テキスト、音声、動画等のコンテンツの記録再生が可能な装置であって、例えばデジタルビデオレコーダや、デジタルミュージックレコーダ、パーソナルコンピューター（以下ＰＣとする）等が該当する。そして、当該記録再生装置は、記録再生消去が可能なデジタル記録媒体を有している。なおそのデジタル記録媒体は、例えば、内蔵／外付ＨＤＤ等の磁気記録媒体や、ＤＶＤメディア／次世代ＤＶＤメディア等の光学式記録媒体、あるいはメモリカード等の半導体メモリであってもよい。
【００１９】
また、この記録再生装置は、これら記録媒体に記録されたコンテンツファイルや、そのコンテンツファイルを分類・管理するためのフォルダマーク等をモニタ等のディスプレイ上に表示する機能も備える。そして、その表示において、本発明の記録再生装置は以下に示す構成要件の作用により、例えばコンテンツファイルの未再生等を示す利用マークをフォルダマーク上やその近傍等に表示することができる。
【００２０】
「コンテンツファイル管理部」（０２０１）は、コンテンツファイルを複数のフォルダを用いて管理する機能を有する。なお、後述するように、このコンテンツファイル管理部はファイルシステムによって実現することができる。したがって、「ファイル」とは、前記記録媒体において保持され、1つのまとまりとして処理の対象となるデータ単位をいい、「コンテンツファイル」とは、テキスト、音声、動画、あるいはそれらの組み合わせ等のコンテンツを記録したファイルをいう。具体的には、文書コンテンツファイル、クラシックやジャズ等の音楽コンテンツファイル、映画やテレビ放送録画、ビデオ撮影動画等の映像コンテンツファイル、等が該当する。そしてこのコンテンツファイル管理部では、それらコンテンツファイルの例えばファイル名や、映像・音声・テキスト等ファイルの種類やそのデータ格納形式の種類、等の情報もコンテンツファイルと対応付けて管理されている。
【００２１】
「フォルダ」とは、前記コンテンツファイルの抽象的な所在を表すための概念で、これによりコンテンツファイルの物理的な記録アドレスに関わらず、例えば「映画の映像コンテンツファイルは映画フォルダ内に（抽象的に）あり、洋楽アーティストの音楽コンテンツファイルは洋楽フォルダ内に（抽象的に）ある」、という具合に、コンテンツファイルを容易に分類、管理することができる。なお一のフォルダ内では通常一以上のコンテンツファイルが管理されているが、空のフォルダ、即ちコンテンツファイルを全く管理していないフォルダがあっても構わない。また、一のフォルダ内で管理されるコンテンツファイルの種類等は任意である。しかし、コンテンツファイルを分類して管理するというフォルダ本来の目的からすれば、一のフォルダ内で管理される各コンテンツファイルは、「映画フォルダ内では映画の映像コンテンツファイル群を管理」、という具合に、お互いに何らかの関連性を有していることが好ましい。
【００２２】
また、コンテンツファイル管理部では、このフォルダに関する情報を管理していても構わない。「フォルダに関する情報」とは、例えば、フォルダ番号、フォルダ名、管理コンテンツファイルの数、フォルダ作成日時、フォルダ内コンテンツファイルの更新日時、フォルダ内ファイルサイズ総量等が該当する。また、フォルダ名やフォルダ番号等はリモコン等を用いて変更、修正が可能な構成としても良い。またそれら情報は、新規フォルダ作成時にユーザーが特段の登録をしない場合にはデフォルト情報を自動で割当てて付する構成であってもよい。例えば、フォルダ番号であれば未使用の自然数のうち最小数を割当てて付することができるし、またフォルダ名であれば「グループＸ（Ｘは当該フォルダのフォルダ番号と同一）」等を付すようにしてもよい。そして上記フォルダに関する情報は、図１に示すように対応するフォルダマークと関連付けて出力し、当該フォルダマーク上や近傍などに表示することができる。
【００２３】
以下、このコンテンツファイル管理部でのフォルダによるコンテンツファイルの管理について、図３を利用して説明する。図３に示すのは、上記管理に利用される管理テーブルの一例である。この図３のＡにあるように、例えば管理テーブルから「ＮＥＷＳ  １０」（０３０１）と言う識別情報で示されるニュース関連番組の録画コンテンツファイルが「ＮＥＷＳ」（０３０２）というファイル名のフォルダ下に管理されており、これはＨＤＤ上の物理アドレス「Ａ１００１〜Ａ１０１５」（０３０３）に記録されていることがわかる。また、「今日のニュースダイジェスト」（０３０４）と言うニュース関連番組の録画コンテンツファイルも「ＮＥＷＳ  １０」（０３０１）と同じ「ＮＥＷＳ」（０３０２）のフォルダ下に管理されており、これはＨＤＤ上の物理アドレス「Ｂ１１２０〜Ｂ１１４１」に記録されていることがわかる。さらに、「星間戦争」（０３０５）と言う映画番組の録画コンテンツファイルは「映画」（０３０６）のフォルダ下に管理されており、これはＨＤＤ上の物理アドレス「Ａ１０３５〜Ａ１５０２」に記録されていることがわかる。なお、この管理テーブルは図３のＢで示すようにコンテンツファイルの識別情報をキーとしたリレーショナルデータベースとして、フォルダとコンテンツファイルの識別情報のみからなる管理テーブルと、また別個にコンテンツファイルの識別情報とそのコンテンツファイルの記録物理アドレス情報からなる管理テーブルと、・・・と言う具合の構造をとる管理テーブル等さまざまであってもよい。このように、記録物理アドレスがそれぞれ異なるコンテンツファイルであっても、この管理テーブルを利用して抽象的にフォルダによる分類、管理を行うことができる。
【００２４】
また、このコンテンツファイル管理部では、例えば階層構造を形成し、フォルダの下にさらにフォルダ管理していても構わない。つまり、フォルダ下で管理されるものはコンテンツファイルに限られず、フォルダのみ、又はコンテンツファイルとフォルダであってもよい、ということである。そしてまた当該コンテンツファイル管理部は、フォルダを任意に生成、消去できるように構成されていてもよい。これは、多数のコンテンツファイルを管理する上で、状況に応じた数のフォルダが必要となるためである。
【００２５】
以上のように、当該コンテンツファイル管理部は、いわゆるＯＳ（オペレーティング・システム）による通常のファイル管理である「ファイルシステム」により実現することができる。したがって、上記コンテンツファイルを複数のフォルダを用いて分類管理する機能に加えて、このコンテンツファイル管理部では、コンテンツファイルに関する処理、例えば、コンテンツファイルの記録、再生、更新、編集、移動、廃棄等を管理する機能も備えている。そして、このコンテンツファイル管理部の管理に基づいて実行される、例えばコンテンツファイルの再生処理により、コンテンツファイルの管理履歴情報の一例である「未再生」、「再生済み」、「途中再生」、「ファイル再生回数」、「再生日時」等の情報が生成、算出される、という具合である。具体的には、リモコン等の入力デバイスを利用して「ＮＥＷＳ  １０」の再生命令を本実施形態の記録再生装置が受信した場合、図３で示すような管理テーブルを利用して「ＮＥＷＳ  １０」が記録されたＨＤＤ上の物理アドレスが特定される。そして、その物理アドレス上のデータを映像再生用のアプリケーションにより再生しモニタ等に表示する処理が行われる。そしてこの管理テーブルを利用したコンテンツファイルの再生処理を受け、コンテンツファイル管理部では、例えば「ＮＥＷＳ  １０」が再生されたことを示す情報や、装置の内蔵時計からその再生日時の情報等を取得する、という具合である。そして、その取得した情報等が、次の管理履歴情報保持部において管理履歴情報として保持される。
【００２６】
「管理履歴情報保持部」（０２０２）は、コンテンツファイルの管理履歴情報を保持するように構成されている。「管理履歴情報」とは、前記コンテンツファイル管理部におけるコンテンツファイルの管理の履歴を示す情報である。図４に示すのは、この管理履歴情報の一例を説明するための図である。この図にあるように、例えば、前述のようにコンテンツファイルに関して再生処理が行われたならば、その再生した時間を示す情報や、その情報に基づく再生回数を示す情報、再生日時を示す情報、あるいは再生開始日時や再生終了日時、再生継続時間長等を示す情報が挙げられる。また、ファイルの途中までの再生であれば、その再生が途中再生であったことを示す情報や、その途中の再生位置を示す情報等であっても良い。あるいはコンテンツファイル管理部にてコンテンツファイルの記録処理が管理されたのであれば、その記録日時を示す情報や、その記録処理時の記録クオリティ（画質、音質、記録ビットレート等）や記録容量等を示す情報、あるいはその記録時に施されるコピー制御を示す情報、保護機能を示す情報等が挙げられる。あるいは編集や更新が管理されたのであれば、その編集・更新日時を示す情報等も挙げられる。
【００２７】
そして、上記情報がコンテンツファイル管理部でのコンテンツファイルの管理に基づいて生成、取得され、例えばＨＤＤや半導体メモリ等の記録媒体により実現されるこの管理履歴情報保持部に、対応するコンテンツファイルの識別情報と関連付けて保持される、という具合である。そして次のＧＵＩ部において、この管理履歴情報保持部で保持されている例えば未再生を示す管理履歴情報に基づいて、その未再生を示す利用マークがフォルダマーク上や近傍等に表示されることになる。
【００２８】
「ＧＵＩ部」（０２０３）は、通常のＧＵＩとしての機能を実現するように構成されているが、それに加え、さらに、フォルダに含まれるコンテンツファイルの管理履歴情報に基づいた利用マークをフォルダマークに関連付けて出力する機能も有する。なお、「ＧＵＩ」とはグラフィカル・ユーザー・インターフェース（Ｇｒａｐｈｉｃａｌ  Ｕｓｅｒ  Ｉｎｔｅｒｆａｃｅ）を意味する。これはユーザーへの情報表示にグラフィックを利用し、そのグラフィックに基づいたマウス、キーボード、リモコン、タッチパネル等の入力ポインティングデバイス等による命令入力によって大半の操作を可能とするユーザーインターフェースのことである。したがって、このＧＵＩ部の作用によって、図１に示すような表示画面が表示され、例えばユーザーがリモコン等の入力デバイスで「フォルダ１」を選択することで、そのフォルダ内のコンテンツファイルを示すコンテンツリスト（本明細書では、複数のコンテンツファイルを同一ページ上で表示したものをいう。なお複数のフォルダを同一ページ上で表示したものを本明細書では「フォルダリスト」、と呼ぶ）やサムネイル画面等が表示される。そしてユーザーが所望のコンテンツファイルをリモコン等で選択し、今度は再生ボタン押下等で再生命令を送信することで、そのコンテンツファイルの再生が行われる、という具合である。
【００２９】
そして、本発明におけるＧＵＩ部は、上記のように、さらに、フォルダに含まれるコンテンツファイルの管理履歴情報に基づいた利用マークをフォルダマークに関連付けて出力する機能を実現するように構成されている。「フォルダマーク」とは、一のフォルダの存在をモニタ等に表示するためのＧＵＩ上の視覚的な媒体である。ＧＵＩにてユーザーがそのフォルダを選択することができるものが該当する。ここで「選択」とは、ある種のアクティブな状態となることである。当該アクティブになることで、例えば、そのフォルダに含まれるコンテンツファイルを閲覧するためのリスト画面が表示されたり、そのフォルダに含まれる下位のフォルダのリスト画面が表示されたりする。あるいはコピーペースト、ドラッグドロップ、消去、フォルダ名変更等することが可能となる。
【００３０】
なお、このフォルダマークは、例えばフレーム形状、アイコン、文字記号形状、又はそれらの結合等によってグラフィカルに表示される。なお、フォルダマークがフレーム形状の場合はフレームの形状、又はその形状に与えられる色彩は問わない。例えば、縦長方形の赤枠黄色地であってもよいし、図１で示す行枠のような横長方形の黒枠白地であってもよい。また、フレームの枠線や枠内の地色はその全部、又は一部が必ずしも目視できる必要はない。例えば、透明、若しくはバックグラウンドと同色の部分が含まれていてもよい。またフォルダマークの形状がアイコンの場合もアイコンの形状、又はその形状に与えられる色彩は特に問わない。「アイコン」とはそれが意味することを一見して判断できるように図示した識別表示マークであって、絵、動画、又はそれらの結合によって構成される。またフォルダマークの形状が文字記号の場合も文字記号の形状、又はその形状に与えられる色彩は特に問わない。「文字記号形状」とは文字や記号のみ、又はそれらの結合によって構成される。
【００３１】
図５は、フォルダマークがアイコン、及び文字記号形状の場合を例示したものである。この図に示すように、フォルダマークは、アイコンの場合はフォルダの形を模した絵であるアイコン（Ａ）であってもよい。また、文字記号形状の場合はフォルダの「Ｆ」を枠で囲って文字を記号化したもの（Ｂ）であってもよいし、「Ｆｏｌｄｅｒ」のように普通の書体による単なる文字（Ｃ）であってもよい。さらに、フォルダを示すアイコンと文字記号形状とを組み合わせたもの（Ｄ）であってもよい。また、フォルダマークの形状や色彩はユーザーが好みで選択することができる構成であってもよい。そして本実施例の記録再生装置は、このフォルダマーク上やその近傍などに、「利用マーク」を表示することをその特徴とする。
【００３２】
「利用マーク」とは、管理履歴情報で示されるそのコンテンツの管理の履歴に基づいて、ユーザーに対してコンテンツの利用に関する情報を与えるためのマークをいい、例えば未再生のコンテンツファイルに関して付される利用マークとしては、その未再生を示す図１に示すような「ＮＥＷ」のマーク等が挙げられる。また、その他にも、例えばコンテンツファイルの記録日時から所定時間経過したことを示す「ＯＬＤ」のマークや、再生回数が多い／少ないを示す「再生多（お気に入り）」「再生少」のマーク等が挙げられる。あるいは、その他途中再生であることを示す「途」や、上記意味内容を絵柄で示すアイコン、再生回数を示す数値「５」等さまざま挙げられる。
【００３３】
また当該利用マークの形態は、例えば上記のようなグラフィックで示される視覚的なもの以外に、例えば音声出力で示される聴覚的なもの、振動等の触覚的なもの、又はそれらの結合等によるものであっても良い。なお、形態がグラフィックの利用マークに関しては、実施形態５で詳述する「グラフィックマーク」と同義であるので、ここではその詳細な説明を省略する。また形態が音の利用マークに関しては、実施形態５で詳述する「音声マーク」と同義であるので、ここではその詳細な説明を省略する。
【００３４】
また、形態が振動の利用マークとは、ユーザーが入力デバイスを利用してフォルダマークの表示領域を選択した時に振動を発することにより、そのフォルダマークで示されるフォルダの有するコンテンツファイルの利用に関する情報をユーザーに伝達できるようにしたものが挙げられる。またその振動は、記録再生装置の本体、又は記録再生装置に有線若しくは無線で接続された入力デバイスに振動モータ等を内蔵させることで発生させることができる。そしてその振動のパターン、間隔、大きさを使い分けることで、ユーザーに対してその利用マークが示す内容を区別して知らせることが可能となる。またこれらの利用マークの形態はユーザーが選択することができる構成であってもよい。また、以上のような利用マークは、管理履歴情報に関連付けて予め半導体メモリ等の記録媒体に保持されているものを利用してもよいし、管理履歴情報に基づいて任意に生成されるマークが利用されてもよい。
【００３５】
そして、その利用マークが、例えば図１に示すようにフォルダマーク上や近傍等に関連付けて出力されモニタ上で表示されることで、ユーザーは、そのフォルダ内に例えば未再生のコンテンツファイルが含まれていることを容易に確認することができる。なお、この利用マークとフォルダマークとの関連付けは、コンテンツファイル管理部の管理テーブルと、管理履歴情報保持部に保持されている管理履歴情報と、を利用して行われると良い。具体的には、例えば図３で示す管理テーブルで管理されているコンテンツ「ＮＥＷＳ  １０」に関して、管理履歴情報保持部で「未再生」を示す管理履歴情報が保持されている。その場合、管理テーブルでこの「ＮＥＷＳ  １０」を（抽象的に）有していることが示される「フォルダ１」と、未再生を示す「ＮＥＷ」の利用マークとが関連付けられるという具合である。
【００３６】
また、ある一のフォルダが（抽象的に）有しているコンテンツファイルは通常複数であるため、例えば、「未再生」のコンテンツファイルと、「再生多」のコンテンツファイルと、記録から数週間経過した「ＯＬＤ」のコンテンツファイルと、という具合に、その一のフォルダと関連付けて表示すべき利用マーク候補が複数ある場合も想定される。このような場合、すべての利用マークを表示する構成としてもよいし、ユーザーの設定する優先順位等の所定ルールに従って、選択的に一又は少数の利用マークを抽出し表示するような構成としても良い。なお、この表示すべき利用マークの選択等に関する詳細な記述は実施形態３において行う。
【００３７】
また、フォルダマークと利用マークをモニタ等でグラフィカルに表示する際には、出力時の両者の関連性を明確に表示できれば、その表示方法は特に問わない。例えば、フォルダマークがフレーム形状であれば、図１のようにフレーム内に表示してもよいし、フレーム外であれば当該フォルダマークのフレーム近傍であって他のフォルダマークと混同しない位置に表示すればよい。図６は、フォルダマーク（０６０１）に関連付けられた利用マーク（０６０２）をアイコンで表示した場合の例である。この図で示すようにフォルダマークと利用マークは完全に独立したもの（Ａ）、両者を単に重ね合わせたもの（Ｂ）、両者が完全に融合してフォルダマークのみの場合とはその形状が異なるもの（Ｃ）（ここではフォルダがチャックで閉じられている様のアイコンによって、未再生のコンテンツファイルがあることを示している）、又はそれらの結合、あるいは線で両者を結んで表示する等、その利用マークとフォルダの関連性が容易に確認できる形態であれば、さまざまな形態での表示がなされて良い。
【００３８】
なお、このＧＵＩ部で出力された利用マークとフォルダマークに基づく画面表示例は、図１に示すような画面表示以外にもさまざまであって良い。例えば図２５のＡに示すように、フォルダに含まれるコンテンツファイル及びフォルダの階層構造を視覚的に把握しやすく表示した表示画面等も挙げられる。この図にあるように、フォルダ１には、その直下に「ニュース１０（１０月２１分）」と「ニュース１０（１０月２日分）」のコンテンツファイルと、フォルダ２が含まれている、またそのフォルダ２には「ニュースダイジェスト」のコンテンツファイルとフォルダ３が含まれている、という具合である。そして、このフォルダ１が（抽象的に）有する「ニュース１０（１０月２日分）」が未再生であったり、あるいはフォルダ３に未再生のコンテンツファイルが含まれている場合、このフォルダ１のフォルダマークの横に利用マークである「ＮＥＷ」（２５０１）が表示される、という具合である。また、その際にこの「ＮＥＷ」の利用マークをポインティングデバイス等で選択すると、図２５のＢで示すように、フォルダ１に含まれる未再生のコンテンツファイル、例えば「ニュース１０（１０月２日分）」と、（フォルダ３の直下にある）「ＴＶニュースＳＰ」、のみが表示される、という具合の検索絞込み表示が行われても良い。
【００３９】
<実施形態１：ハードウェア構成>  図７に示すのは、本実施形態の記録再生装置におけるハードウェア構成の一例を表す概略図である。この図を利用してフォルダマークと利用マークの関連付け表示処理におけるそれぞれのハードウェア構成部の働きについて説明する。この図にあるように、記録再生装置は、「ＣＰＵ（中央演算装置）」（０７０１）と、「主メモリ」（０７０２）と、「ＨＤＤ」（０７０３）と、「Ｉ／Ｏ」（０７０４）と、「ビデオチップ（ビデオメモリも備える）」（０７０５）と、「モニタ」（０７０６）と、を備えている。そしてそれらが「システムバス」（０７０７）等のデータ通信経路によって相互に接続され、情報の送受信や処理を行う。
【００４０】
また「主メモリ」は、プログラムを実行するために読み出すと同時にそのプログラムの作業領域でもあるワーク領域を提供する。また、「ＨＤＤ」や「主メモリ」には、管理テーブル、管理履歴情報、コンテンツファイル、あるいはフォルダマークや利用マークを表示するためのグラフィックパーツ、または利用マークが音声であれば音声データ等を記録保持している。また、この「主メモリ」や「ＨＤＤ」にはそれぞれ複数の（物理）アドレスが割当てられており、「ＣＰＵ」で実行されるプログラムは、そのアドレスを特定しアクセスすることで相互にデータのやりとりを行い、処理を行うことが可能になっている。
【００４１】
また「Ｉ／Ｏ」と、「ビデオチップ」および「モニタ」は、ＣＰＵにて連動して処理され、例えばＩ／Ｏで受信した入力デバイスからの選択信号や再生命令信号等によって、モニタで表示されているフォルダマークの選択やコンテンツファイルの再生指定等が行われることになる。
【００４２】
（コンテンツファイル管理部の処理）  ここでまず、コンテンツファイル管理部の処理について説明する。例えば図示しないテレビ放送受信チューナ等で受信した映像ストリームが、この記録再生装置のＨＤＤの所定アドレスに記録される。そしてその記録処理の際、その記録アドレスと、受信映像ストリームに基づくコンテンツファイルの識別情報とを関連付けた管理テーブルを生成し、ＨＤＤ等に保持する。また、その際、フォルダへの分類（抽象的移動）命令信号をＩ／Ｏにて受信した場合、そのフォルダの識別情報をさらに関連付けた図３に示すような管理テーブルを生成しＨＤＤ等に保持する。
【００４３】
また、Ｉ／Ｏにてコンテンツファイルの再生命令信号を受信した場合、ＣＰＵは主メモリに読み出した管理テーブルを参照し、再生指定されたコンテンツファイルのＨＤＤ上のアドレスを特定する。そしてそのアドレス上のコンテンツファイルの読み出し信号送出と、再生アプリケーションの処理がＣＰＵにて実行されコンテンツファイルの再生が管理される。あるいはＩ／Ｏで受信した信号が編集命令であれば、同様に管理テーブルを参照し、編集アプリケーションを利用した編集処理の管理が行われる。
【００４４】
（管理履歴情報保持部の処理）  そして管理履歴情報保持部の処理として、上記さまざまな処理管理に関する情報（管理履歴情報）、例えば再生処理を行った日時情報や再生回数、最新再生日時等を示す情報、を、例えば日時であれば内蔵時計から取得する等して、当該コンテンツファイルの識別情報と関連付けてＨＤＤ上の所定のアドレスに保持する。
【００４５】
（ＧＵＩ部の処理）  そしてＧＵＩ部では、図１に示すようなＧＵＩ画面をモニタ上に表示するために、モニタ上に表示すべきフォルダマークのグラフィックパーツを、ＨＤＤの所定のアドレスから主メモリの所定のアドレスに格納する。また、ＣＰＵは主メモリに読み出した管理テーブルを参照し、そのフォルダマークで示されるフォルダと関連付けられたコンテンツファイルの識別情報を取得する。そして管理履歴情報保持部の処理によりそのコンテンツファイルと関連付けて保持されている管理履歴情報を取得し、主メモリの所定アドレスに格納する。そして、例えば「未再生のファイルがある場合に利用マークを表示する」との予め定められたルールに従い、ＣＰＵではその主メモリに格納した管理履歴情報が未再生を示すものであるか判断を行う。そして未再生である、と判断したコンテンツファイルに関して、その未再生を示す利用マークのグラフィックマークを取得し、また別の主メモリのアドレスに格納する。そして、管理テーブルを参照し、主メモリに格納されたフォルダマークと利用マークとの関連付けを行い、ビデオチップに出力する。ビデオチップでは、その関連付けに基づいてモニタ上でフォルダマークと利用マークとを表示するための処理を行い、それによりモニタでは、例えば図１に示すようにフォルダマーク上や近傍等に利用マークが表示される、という具合である。
【００４６】
<実施形態１：処理の流れ>  図８は実施形態１での処理の流れの一例を示したものである。なお、以下の処理は、計算機に実行させるためのプログラムで実行することができ、また、このプログラムを計算機によって読み取り可能な記録媒体に記録することができる。まず、コンテンツファイルを複数フォルダを用いて管理する記録再生装置において、例えば管理テーブルを利用する等してフォルダに含まれる各コンテンツファイルに関する管理履歴情報を取得する（Ｓ０８０１  管理履歴情報取得ステップ）。次に、前記ステップで取得した管理履歴情報に基づいて出力すべき利用マークがある場合、その利用マークをフォルダマークと関連付ける（Ｓ０８０２  利用マーク関連付けステップ）。最後に、前記ステップで利用マークと関連付けられたフォルダマークを、その利用マークとともに出力する（Ｓ０８０３  利用マーク出力ステップ）。以上の処理によって、本実施系他の目的を達成することができる。
【００４７】
<実施形態１：効果>  本実施形態によれば、以上のようにフォルダを示すフォルダマークの表示において、例えばその「フォルダ内に未再生ファイルあり」ということを示す利用マークをフォルダマーク上や近傍等に表示することができる。したがって、ユーザーはフォルダ内を参照することなしに、フォルダで分類管理されているコンテンツファイルの未再生等の履歴を容易に確認することができる。
【００４８】
<<実施形態２>>
<実施形態２：概要>  実施形態２について説明する。本実施形態は、前記実施形態１を基本として、さらに、前記ＧＵＩ部がヘルプ情報出力手段を有することにより利用マークの示す意味内容等を説明するためのヘルプ情報をフォルダマーク及び利用マークと同一ページに表示することを特徴とする記録再生装置である。
【００４９】
図９は本実施形態の記録再生装置により表示されるＧＵＩ機能を備えた表示画面の一例である。この図にあるように、前記実施形態１の利用マークはフォルダ内にあるコンテンツファイルの管理履歴情報を確認する上で便利ではあるが、当該情報はアイコン等によって略式表示、若しくは抽象表示される場合がある。その場合、その利用マークの意味するところがユーザーに正しく理解されない可能性がある。例えば、図１ではフォルダ１に未再生のコンテンツファイルの存在を示す「ＮＥＷ」（０１０６）という利用マークが付されていたが、この利用マークだけではフォルダが新しく作られたものとユーザーに解される可能性がある。そこで、本実施形態では利用マークが表示されている場合には、同一ページ内で当該利用マークの意味を利用マークヘルプ情報として表示できるようにする。例えば、図９で示すように、「ＮＥＷ  未再生の録画番組が含まれています。」（０９０１）といった具合の当該利用マークの簡単な説明である利用マークヘルプ情報をフォルダリストの下部欄外などに表示できるようになっている。これにより、ユーザーは、利用マークの意味を知らなくてもヘルプ機能によってその利用マークが伝達する情報を把握することができる。
【００５０】
<実施形態２：構成>  図１０は、実施形態２の構成の一例を示す機能ブロック図である。この図に示す本実施形態の記録再生装置（１０００）は、実施形態１の構成要素であるコンテンツファイル管理部（０７０１）と、管理履歴情報保持部（１００２）と、ＧＵＩ部（１００３）とを有し、さらに、前記ＧＵＩ部（１００３）が、ヘルプ情報出力手段（１００４）を有している。
【００５１】
以下に実施形態２の各構成について説明する。なお、本実施形態の構成において前記実施形態１と同様の構成であるコンテンツファイル管理部と管理履歴情報保持部の各構成についてはその説明を省略する。また、本実施形態のＧＵＩ部（１００３）は、実施形態１と同様の基本構成を有するが、ヘルプ情報出力手段を有している点において実施形態１と異なる。そこで、ここでは本実施形態に特徴的なヘルプ情報出力手段（１００４）についてのみ説明する。
【００５２】
「ヘルプ情報出力手段」（１００４）は、利用マークヘルプ情報をフォルダマーク及び利用マークと同一ページに表示するように構成されている。そして、このヘルプ情報出力手段は、一の利用マークに関連付けて、例えばＨＤＤ等に保持されている利用マークヘルプ情報を取得し、出力することができる。また、このヘルプ情報出力手段は、ユーザーの選択により利用マークヘルプ情報の出力のオン・オフを自由に切替えることができる構成であってもよい。また、出力オンの場合も利用マークヘルプ情報の全部を出力するかあるいは一部のみを出力するかを選択することができる構成であってもよい。またヘルプ情報出力手段にて出力される利用マークヘルプ情報は、すべての利用マークに関するものであっても良いし、モニタ上に表示されるフォルダに関連付けて出力されている利用マークに関するもののみ選択的に表示する構成であっても良い。
【００５３】
「利用マークヘルプ情報」とは、利用マークに関する補助情報である。図１１は、この利用マークヘルプ情報の一例を説明するための図である。この図で示すように、利用マークヘルプ情報は、例えば利用マークの意味を説明するためのテキスト情報（１１０１）のほか、表示ページ内でその利用マークが関連付けられているフォルダの数を示す情報（１１０２）や、あるいはそのフォルダ下のコンテンツファイルの中で、当該利用マークに該当する管理履歴情報と関連付けられているコンテンツファイルの数を示す情報等が挙げられる。利用マークの意味を説明する情報（１１０１）に関しては図９で述べた通りである。また、フォルダ数の情報（１１０２）は、その表示ページのフォルダリスト内で、ある一の利用マークが付されているフォルダ数のことである。これは、フォルダリストがモニタ画面内に収まりきれない場合に、モニタ画面外で当該利用マークが関連付けられたフォルダがフォルダリスト中にいくつあるかを容易に把握することができる、という効果を奏する。例えば、未再生のコンテンツファイルの存在を示す利用マーク「ＮＥＷ」（１１０２）が「３グループ」とあることから、このページをスクロール等させなくとも、フォルダ７、フォルダ８以外にも未再生コンテンツファイルを有しているフォルダがあと一つあることがわかる。
【００５４】
なお、図９では利用マークヘルプ情報は、フォルダリスト欄外に利用マークと関連付けて表示されていたが、利用マークが付されているフォルダマークを選択する、若しくはカーソルを該フォルダマーク上に重ねることで、表示画面にポップアップ式に表示されるようにしてもよい。例えば、図１２で示すように、未再生のコンテンツファイルの存在を示す利用マーク「ＮＥＷ」が関連付けられたフォルダ１を選択（図１２では選択を意味するものとして、フォルダマークに網掛けをしている。）したときに利用マーク「ＮＥＷ」の利用マークヘルプ情報がポップアップ（１２０１）で表示される、という具合である。
【００５５】
なお、「同一ページ」とは、画面上に表示されるページを含む概念であるが、それには限定されず、以下のようにスクロールによって表示されるモニタ外の表示画面も含む概念である。すなわち、例えばモニタ上に表示されるデータ構造の中に含まれる「改ページ」を示すタグで区切られたデータにより表示されるページのことも含む。したがって、一のページはモニタ画面上で一度に表示される画像とは必ずしも対応しない。例えば、本発明の記録再生装置においてフォルダ数が多いフォルダリストを同一ページで表示する場合、一のページがモニタ等の画面サイズを超えている場合には全ての処理面を一のモニタ画面上に表示できないからである。そこでそのような場合は、カーソル（図１１では網掛けで表示）を移動させ、フォルダリストをスクロールできるようにする構成としても良い。またこのとき、モニタ画面で表示されているフォルダがフォルダリストのどの位置に相当するのかを示すスクロールバー（１１０４）のような位置情報を表示しておくと便利である。
【００５６】
<実施形態２：効果>  本実施形態の記録再生装置によれば、利用マークに関するヘルプ情報がモニタ上に表示されるので、ユーザーはその利用マークの意味を知らなくても、その利用マークが伝達すべき情報を容易に把握することができる。
【００５７】
<<実施形態３>>
<実施形態３：概要>  実施形態３について説明する。本実施形態は、前記実施形態１、又は２を基本として、さらに、前記ＧＵＩ部が再生・未再生マーク出力手段、再生頻度マーク出力手段、保持期間マーク出力手段のいずれか一又は二以上を有することを特徴とする記録再生装置である。
【００５８】
<実施形態３：構成>  図１３は、実施形態３の構成の一例を示す機能ブロック図である。この図で示すように本実施形態の記録再生装置（１０００）は、実施形態１を基本として、その構成要素であるコンテンツファイル管理部（１３０１）と、管理履歴情報保持部（１３０２）と、ＧＵＩ部（１３０３）とを有する。そしてさらに前記ＧＵＩ部（１３０３）が再生・未再生マーク出力手段（１３０４）、再生頻度マーク出力手段、保持期間マーク出力手段のいずれか一または二以上を有している（図１３では再生・未再生マーク出力手段を有する場合の例を示している）ことを特徴としている。
【００５９】
以下に実施形態３の各構成について説明する。なお、本実施形態の構成において前記実施形態１、又は２と同様の構成であるコンテンツファイル管理部、管理履歴情報保持部、また図示は省略したヘルプ情報出力手段についてはその説明を省略する。また、本実施形態のＧＵＩ部（１３０３）は、実施形態１、または２と同様の基本構成を有するが、再生・未再生マーク出力手段、再生頻度マーク出力手段、保持期間マーク出力手段のいずれか一を有している点で前記実施形態とは異なる。そこで、ここでは本実施形態に特徴的な構成である再生・未再生マーク出力手段（１３０４）、再生頻度マーク出力手段、保持期間マーク出力手段についてのみ以下で説明する。
【００６０】
「再生・未再生マーク出力手段」（１３０４）は、管理履歴情報に基づいて再生・未再生情報を抽出し、その抽出結果から選択された再生・未再生マークをフォルダマークに関連付けて出力するように構成されている。「再生・未再生情報」とは、コンテンツファイルの再生・未再生を示す情報である。そしてこの「再生・未再生情報の抽出」処理は、管理履歴情報に基づいて行われると良い。前述のように、コンテンツファイル管理部ではコンテンツファイル再生の管理も行う。そこで、その再生処理に関する管理が行われたコンテンツファイルについては、管理履歴情報として再生済みであることを示す再生情報をコンテンツファイルの識別情報に関連付け更新。したがって、その保持されている管理履歴情報の中から該当するコンテンツファイルに関して再生情報や未再生情報を抽出することができる。
【００６１】
また、再生・未再生情報は、再生情報が完全再生か、若しくは部分再生かの情報を抽出することもできる構成であってもよい。この場合は、コンテンツファイルの再生処理が途中再生処理であった場合には、その旨を示す管理履歴情報を生成し当該コンテンツファイルの識別情報と関連付けて管理履歴情報保持部に保持しておくと良い。またその際に、その中断したファイルの再生位置を同様にして管理履歴情報として保持しても良い。
【００６２】
「再生・未再生マーク」とは、再生・未再生情報に基づいた利用マークである。なお、抽出結果に応じて再生・未再生マークを変更して表示するような構成であってもよい。例えば未再生情報が数多く抽出されたフォルダには表示サイズを大きくした未再生マークの表示を行ったり、あるいは未再生マークの近傍にその数を表示したりする、という具合である。もちろん、その選択はユーザーが自由に設定可能な構成であっても良い。また、その利用マークの選択は、可能な範囲でユーザーが自由に選択できる構成であってもよい。
【００６３】
図１４は再生・未再生マークがグラフィック形態の場合の表示例である。この図で示すように、例えば、抽出の基準が一のフォルダ内に含まれる未再生のコンテンツファイルの有無であった場合には、１４０１の「未」のように一のフォルダ内に含まれるコンテンツファイルに未再生のものが一以上存在することを示す利用マークを選択してもよいし、逆に１４０２の「済」のように一のフォルダ内に含まれる全てのコンテンツファイルが再生済みであることを示す利用マークを選択してもよい。もちろん、その両者を選択して併用しても構わない。抽出の基準が一のフォルダ内に含まれる一部再生のコンテンツファイルの有無であった場合には、１４０３の「不」のように一のフォルダ内に含まれるコンテンツファイルに部分再生、つまり不完全再生のものが一以上存在することを示す利用マークを選択してもよいし、逆に１４０４の「完」のように一のフォルダ内に含まれる全てのコンテンツファイルが完全再生済みであることを示す利用マークを選択してもよい。また、「不」、「完」の利用マークを同時に選択してもよいし、前記１４０１の「未」の利用マークを選択して併用してもよい。
【００６４】
「再生頻度マーク出力手段」は、管理履歴情報に基づいてコンテンツファイルの再生頻度情報を抽出し、その抽出結果から選択された再生頻度マークを出力するように構成されている。「再生頻度情報」とは、再生の頻度を示す情報であり、例えばコンテンツファイルにアクセスした回数を示す情報、あるいは直近に再生した日時からの経過時間を示す情報等が挙げられる。そしてこの「再生頻度情報の抽出」処理は、前記再生・未再生情報の抽出と同様に、管理履歴情報に基づいて行われると良い。具体的には、例えばコンテンツファイル管理部にて再生処理に関する管理が行われたコンテンツファイルについて、管理履歴情報としてその再生回数を加算カウント処理していく。そしてそのカウントされた再生頻度情報を管理履歴情報として管理履歴情報保持部に保持する。したがって、その保持されている管理履歴情報の中から該当するコンテンツファイルに関して再生頻度情報を抽出することができる。なお、その抽出においては、例えば再生頻度情報で示される再生回数５回以上（または以下）のものについて抽出する、という具合にその抽出基準が定められていると良い。あるいは、直近に再生してから７日以上経過している、等の抽出基準も挙げられる。あるいは抽出の基準は、一のフォルダ内に含まれるコンテンツファイルの最多、若しくは最少の再生回数そのもの又は最長、若しくは最短の最終再生後の経過時間そのものとしてもよい。抽出結果によってどのような再生・未再生マークを選択するかは抽出の基準により適宜決めればよい。このような抽出の基準、所定条件、利用マークの選択は、可能な範囲でユーザーが自由に選択できる。なお、利用マークの形態は前記実施形態と同様に特に問わない。
【００６５】
「再生頻度マーク」とは、再生頻度情報に基づいた利用マークである。なお、再生・未再生マークと同様に、再生頻度マークも抽出結果に応じて変更して表示するような構成であってもよい。図１５は再生頻度マークがグラフィック形態の場合の選択例である。この図で示すように、例えば、抽出の基準が一のフォルダ内に含まれる所定再生回数以上のコンテンツファイルの有無であって、所定再生回数を５回とした場合、１５０１の「多」のように一のフォルダ内に含まれるコンテンツファイルに再生回数が５回以上のものが一以上存在することを示す利用マークを選択してもよいし、逆に１５０２の「少」のように一のフォルダ内に再生回数が５回を超えないものが一以上存在することを示す利用マークを選択してもよい。その両者を選択して併用しても構わない。あるいは、１５０３の「１５」のように一のフォルダ内に含まれるコンテンツファイルの最多の再生回数そのものを利用マークの全部、又は一部としてもよい。反対に一のフォルダ内に含まれるコンテンツファイルの最少の再生回数でもよい。また、抽出の基準が最終再生後の所定期間を経過したコンテンツファイルの有無であって、所定経過期間を７日とした場合には、１５０４の「長」のように一のフォルダ内に含まれるコンテンツファイルに最終再生終了日時から７日以上経過したものが一以上存在することを示す利用マークを選択してもよいし、逆に１５０５の「短」のように一のフォルダ内に含まれるコンテンツファイルに最終再生終了日時からの経過時間が７日に満たないものが一以上存在することを示す利用マークを選択してもよい。その両者を選択して併用しても構わない。あるいは、１５０６の「ＰＤ８」のように経過日数（Ｐａｓｓ  Ｄａｙ）である８日を示す経過期間（年、月、時、分、秒、又はこれらの組み合わせであってもよい。）の数値そのものを利用マークの全部、又は一部としてもよい。
【００６６】
「保持期間マーク出力手段」は、管理履歴情報に基づいてコンテンツファイルの保持期間情報を抽出し、その抽出結果から選択された保持期間マークを出力するように構成されている。「保持期間情報」とは、コンテンツファイルの保持期間を示す情報をいい、例えばコンテンツファイルが記録されてからの保持期間等が挙げられる。そしてこの「保持期間情報の抽出」処理は、前記再生・未再生情報や再生頻度情報の抽出と同様に、管理履歴情報に基づいて行われると良い。具体的には、例えばコンテンツファイル管理部において記録処理に関する管理が行われたコンテンツファイルについての管理履歴情報として、その記録日時を取得、保持する。そして、保持期間情報の抽出処理を行う際に、装置内蔵カレンダーや内蔵時計から現在日時を取得し（ネットワークを介し外部から現在日時を取得する構成もありうる）、前記管理履歴情報として保持されているコンテンツファイルの記録日時からＣＰＵの演算処理によってその保持期間情報を抽出する、という具合である。なお、この保持期間情報の抽出においても、例えば「保持期間が１ヶ月以上」という具合に、その抽出基準が定められていると良い。また、もちろんこの保持期間マーク出力手段に関しても、ユーザーの選択により保持期間マークの出力のオン・オフを自由に切替えることができる構成であって良い。あるいは、出力オンの場合もの保持期間マークの全部を出力するかあるいは一部のみを出力するかを選択することができる構成であって良い。
【００６７】
「保持期間マーク」とは、保持期間情報に基づいた保持期間を示す利用マークである。なお、再生・未再生マークと同様に、保持期間マークも抽出結果に応じて変更して表示するような構成であってもよい。図１６は保持期間マークがグラフィック形態の場合の選択例である。この図で示すように、例えば、抽出の基準が一のフォルダ内に含まれる所定記録保持期間以上のコンテンツファイルの有無であって、所定記録保持期間を１年とした場合、１６０１の「古」のように一のフォルダ内に含まれるコンテンツファイルに記録保持期間が１年以上のものが一以上存在することを示す利用マークを選択してもよいし、逆に１６０２の「新」のように一のフォルダ内に記録保持期間が１年に満たないものが一以上存在することを示す利用マークを選択してもよい。その両者を選択して併用しても構わない。また、抽出の基準が一のフォルダ内に含まれるコンテンツファイルの中で最長の記録保持期間の場合、１６０３の「ＨＹ２」のように最長のコンテンツファイルの記録保持年数（Ｈｏｌｄ  Ｙｅａｒｓ）である２年を示す記録保持期間（年、月、時、分、秒、又はこれらの組み合わせであってもよい。）の数値そのものを利用マークの全部、又は一部としてもよい。
【００６８】
なお、上記説明では、「再生・未再生マーク」、「再生頻度マーク」、「保持期間マーク」をグラフィックマークによる表示として例示したが、もちろんそれぞれの利用マークはグラフィックマークには限られず、音声や振動によってその再生・未再生であること等をユーザーに伝達しても良い。
【００６９】
<実施形態３：効果>  本実施形態の記録再生装置によれば、当該フォルダ内にあるコンテンツファイルの管理履歴情報に基づいた再生・未再生、再生頻度、又は保持期間のいずれか一又は二以上の情報をそのフォルダに関連付けられた利用マークとして出力することができる。したがって、ユーザーはフォルダ内を参照することなしに、これらコンテンツファイルに関する再生・未再生、再生頻度、あるいは保持期間等を容易に確認することができる。
【００７０】
<<実施形態４>>
<実施形態４：概要>  実施形態４について説明する。本実施形態は、前記実施形態１から３を基本として、前記ＧＵＩ部において、利用マークとして「再生・未再生マーク」、「再生頻度マーク」、「保持期間マーク」等の出力が可能である。そこで、ユーザーは、例えばコンテンツファイルの保持期間に関してはあまり気にしないが、まだ視聴していない（未再生の）コンテンツファイルはなるべく早く確認したい、等の場合に、「再生・未再生マーク」のみ出力するよう選択する、といった具合の操作が可能な記録再生装置である。
【００７１】
<実施形態４：構成>  図１７は、実施形態４の構成の一例を示す機能ブロック図である。本実施形態の記録再生装置は、実施形態１から３の構成を基本としている。この図で示す本実施形態の記録再生装置（１７００）は、実施形態１に基づく実施形態３を基本としている。すなわち、その構成要素であるコンテンツファイル管理部（１７０１）と、管理履歴情報保持部（１７０２）と、ＧＵＩ部（１７０３）とを有し、また当該ＧＵＩ部は再生・未再生マーク出力手段（１３０４）と、再生頻度マーク出力手段（１７０５）と、保持期間マーク出力手段（１７０６）と、利用マーク出力手段選択手段（１７０７）と、を有している。
【００７２】
以下に実施形態４の各構成について説明する。なお、本実施形態の構成において前記実施形態１から３のいずれか一と同様の構成であるコンテンツファイル管理部、管理履歴情報保持部、ヘルプ情報出力手段、再生・未再生マーク出力手段、再生頻度マーク出力手段、保持期間マーク出力手段についてはその説明を省略する。また、本実施形態のＧＵＩ部の基本構成は、実施形態１から３のいずれか一のＧＵＩ部と同様であるが、複数の利用マーク出力手段を有し、また、利用マーク出力手段選択手段を有している点で他の実施形態とは異なる。
【００７３】
まず、「複数の利用マーク出力手段」は、図に示すように、例えば実施形態３で説明したような「再生・未再生マーク出力手段」と、「再生頻度マーク出力手段」と、「保持期間マーク出力手段」と、という具合にその出力手段が複数あることをいう。もちろん、この複数の利用マーク出力手段は、上記の３つの利用マーク出力手段のうち２つの組み合わせや、それ以外にも、例えば、ＣＭカット等の編集済み・未編集を示す「編集済み・未編集マーク」を出力する「編集・未編集マーク出力手段」、「途中再生（部分視聴）マーク出力手段」、「視聴場所識別マーク出力手段」、あるいは再生回数が制限されている有料コンテンツファイルの「再生可能残回数マーク出力手段」等さまざまであって良い。そして、本実施形態の記録再生装置は、それら利用マーク出力手段において出力される利用マークの中からいずれを出力するか選択する利用マーク出力手段選択手段を備えていることを特徴とする。
【００７４】
「利用マーク出力手段選択手段」（１７０７）は、複数の利用マーク出力手段からいずれか一以上を選択するように構成されている。この利用マーク出力手段選択手段によって、本実施形態の記録再生装置は以下のような選択を行うことができる。第一の選択は利用マーク出力手段の選択であり、これによりユーザーは、モニタ上に表示される利用マークを、例えば「未再生マークのみ」という具合に指定することができる。第二の選択は利用マーク出力手段で出力される利用マークの表示方法の選択であり、これによってユーザーはモニタ上に表示される利用マークの形状、あるいはレイアウト等を指定することができる。また、その他にも、利用マークの出力のオン・オフや、利用マークの全部出力若しくは一部出力の組み合わせ選択等を行うこともできる。なお、この選択処理は、リモコン等の入力デバイスによって入力された選択命令をＩ／Ｏにて取得することで実行されると良い。あるいは、画面の解像度等に応じて視認しやすい数の利用マークのみ選択的に出力する場合等、そのモニタ解像度情報を取得し、その数値に基づいて自動的に選択されるような構成であっても良い。
【００７５】
図１８は、本実施形態の利用マーク出力手段選択手段での選択によって選択された利用マークの表示例である。この図では、フォルダマークがフレーム形状で、当該フォルダマークの枠内に利用マークが表示される場合を示している。この図Ａにあるように、本実施形態で選択された各利用マーク出力手段から出力される利用マークは、それぞれ別個独立に表示されてもよい。例えば、フォルダ１（１８０２）で示されるフォルダマーク（１８０１）内には、再生・未再生マーク出力手段から出力された「済」の再生・未再生マーク（１８０３：フォルダ内のコンテンツファイルは全て再生済みである。）、再生頻度マーク出力手段から出力された「少」の再生頻度マーク（１８０４：フォルダ内に再生頻度が所定の回数より少ないコンテンツファイルが１以上ある。）、そして、保持期間マーク出力手段から出力された「古」の保持期間マーク（１８０５：フォルダ内に記録保持期間が所定の期間以上の古いコンテンツファイルが１以上ある。）がそれぞれ別個独立に表示されている。また、この図Ｂで示すように、本実施形態で選択された各利用マーク出力手段から出力される利用マークは、一の利用マークでまとめて表示されてもよい。例えば、フォルダ１（１８０６）で示されるフォルダマーク内で「済」、「少」、「古」の各利用マークが一の利用マーク（１８０７）で表示されている。
【００７６】
またさらに、本実施形態で選択された各利用マーク出力手段から出力される利用マークは、選択された各利用マーク出力手段の種類、数、出力される利用マークの種類等によって形態を変えるように表示されてもよい。例えば、図Ｃに示すように、再生・未再生マーク出力手段のみが選択されたことで、フォルダ１（１８０８）で示されるフォルダマーク内ではその利用マーク「済」のみが表示される。そしてその場合には三角の利用マーク（１８０９）にする。また図Ｄで示すように、再生・未再生マーク出力手段と再生頻度マーク出力手段の２つが選択された場合には、フォルダ１（１８１０）で示されるフォルダマーク内で、それらの利用マーク「済」と「古」が四角の利用マーク（１８１４）として表示される、という具合である。
【００７７】
もちろん上記例は一例であって、その選択によってさまざまな利用マークの出力がなされてよいし、その利用マークの形状やレイアウト等もさまざまであって良い。また、この出力される利用マークは、グラフィックのみならず音声や振動、あるいはそれらの組み合わせであっても構わない。
【００７８】
また、ＧＵＩ部はこれら異なった利用マークによるソート（昇順・降順並べ替え）機能を有していても構わない。具体的には、例えば上記利用マーク出力手段によって出力された利用マーク「ＮＥＷ」をユーザーがポインティングデバイス等で選択すると、利用マーク出力手段によってそのＮＥＷの利用マークと関連付けて出力されたフォルダマークを、表示画面内上部または下部に並べて表示する処理を行う、という具合である。また、複数の利用マークではそれぞれに優先順位を予め定めておき、その優先順位に従ったソート処理が行われるような構成でも良い。
【００７９】
<実施形態４：処理の流れ>  図１９は本実施形態での処理の流れの一例を示したものである。なお、以下の処理は、計算機に実行させるためのプログラムで実行することができ、また、このプログラムを計算機によって読み取り可能な記録媒体に記録することができる。まず、コンテンツファイルを複数フォルダを用いて管理する記録再生装置において、出力すべき利用マークを選択する（Ｓ１９０１  利用マーク出力手段選択ステップ）。そして前記選択に基づいて、管理テーブルを利用してフォルダに含まれる各コンテンツファイルに関する管理履歴情報を取得する（Ｓ１９０２  管理履歴情報取得ステップ）。次に、前記ステップで選択的に取得した管理履歴情報に基づいて出力すべき利用マークがある場合、その利用マークをフォルダマークと関連付ける（Ｓ１９０３  利用マーク関連付けステップ）。最後に、前記ステップで利用マークと関連付けられたフォルダマークを、その利用マークとともに出力する（Ｓ０１９０４  利用マーク出力ステップ）。以上の処理によって、本実施形態の目的を達成することができる。
【００８０】
<実施形態４：効果>  本実施形態の記録再生装置によれば、モニタ上にフォルダマークと関連付けて出力される利用マークを選択することができる。したがって、例えばユーザーの好みに応じた利用マークの出力が可能となる。あるいは画面解像度等に応じて見やすい数の利用マークのみ出力する、といったことも可能になる。
【００８１】
<<実施形態５>>
<実施形態５：概要>  実施形態５について説明する。本実施形態は、前記実施形態１から４を基本として、さらに、利用マークをグラフィックとして表示する機能、または及び音声として出力する機能を備えた記録再生装置である。また、本実施形態の別の例では、利用マークをグラフィックとして表示する場合、例えば利用マークがフォルダ形状をしている等、利用マークそのものをフォルダマークの代わりとする機能を備えた記録再生装置でもある。
【００８２】
<実施形態５：構成>  図２０は、本実施形態の構成の一例を示す機能ブロック図である。この図に示す本実施形態の記録再生装置（２０００）は、実施形態１の構成要素であるコンテンツファイル管理部（２００１）と、管理履歴情報保持部（２００２）と、ＧＵＩ部（２００３）とを有し、さらに、特徴点としてそのＧＵＩ部（２００３）が、グラフィックマーク生成情報出力手段（２００４）を有している。
【００８３】
以下に本実施形態の各構成について説明する。なお、本実施形態の構成において前記実施形態１と同様の構成であるコンテンツファイル管理部と管理履歴情報保持部の各構成についてはその説明を省略する。また、本実施形態の記録再生装置は、図示していないが実施形態２や３、４、を基本としてその他の構成要件を備えていても良い。そして本実施形態のＧＵＩ部（２００３）は、実施形態１と同様の基本構成を有するが、「グラフィックマーク生成情報出力手段」（２００４）を有している点において実施形態１と異なる。そこで、ここでは本実施形態に特徴的なグラフィックマーク生成情報出力手段（２００４）について説明する。
【００８４】
「グラフィックマーク生成情報出力手段」（２００４）は、グラフィックマーク生成情報を出力するように構成されている。「グラフィックマーク生成情報」とは、利用マークとして、グラフィックマークを生成するための情報をいい、例えば種々のデータ形式で格納された画像データが挙げられる。「グラフィックマーク」とは、その画像データに基づいてモニタ上にグラフィックで表示される利用マークである。グラフィックで表示される利用マークとは、例えば、アイコンによる利用マーク、文字記号形状の利用マーク、フォルダマークと一体化した利用マーク等が挙げられる。また、その他にもそのグラフィックをアニメーション表示させたり、輝度変化させ表示させたりする等の利用マークであっても構わない。これによってユーザーは利用マークをより視認しやすくなる。
【００８５】
なお、グラフィックマークの形状やそれを構成する色彩は、特に問わないが、コンテンツファイルの管理履歴情報に基づく判断の結果をユーザーが把握しやすい形状や色彩であることが好ましい。また、一の情報を意味するグラフィックマークは、２種以上あってもよい。つまり、一つの利用マークを表示するグラフィックマークとして文字記号形状、アイコン形状、又はフォルダマークと一体化した形状等、複数種あっても構わない。
【００８６】
図２１に示すのは、このグラフィックマークの一例を説明するための模式図である。この図にあるように、例えば保持期間マークとして、Ａのように丸に「古」（２１０１）や、Ｂのように角枠に「ＯＬＤ」（２１０２）等が挙げられる。また、その他にもＣのように、フォルダを模したアイコンに古さを容易に想起させるクモの巣を重ねた保持期間マーク（２１０３）等も挙げられる。また、利用マークの伝達内容を色彩によって表現しても良い。例えば、フォルダマークの色彩を赤（２１０４）にする。このとき、記録保持マークを関連付けられていないフォルダは、ベースカラーとして赤以外の色彩にするようにする、という具合である。
【００８７】
そして、このようなグラフィックマークを生成するための情報が「グラフィックマーク生成情報」であるが、その出力はハードウェア構成的には以下のようにして処理されると良い。すなわち、ＨＤＤ等の所定アドレスに記録されているグラフィックマーク生成情報である画像データをメモリに読み込むため、そのアドレスを指定する命令が送出される。そしてその命令に従い、メモリに格納された画像データがビデオチップの処理によりモニタ上にグラフィックマークとして表示される、という具合である。
【００８８】
<実施形態５：別の構成１>  また、本実施形態の記録再生装置は、利用マークがフォルダ形状のグラフィックを含むマークである場合等に対応し、以下のような構成をとっても良い。図２２は、その本実施形態の記録再生装置の別の一例を示す機能ブロック図である。この図に示す本実施形態の記録再生装置（２２００）は、上記同様コンテンツファイル管理部（２２０１）と、管理履歴情報保持部（２２０２）と、ＧＵＩ部（２２０３）と、を有し、またそのＧＵＩ部（２２０３）が、グラフィックマーク生成情報出力手段（２２０４）を有している。そして、この実施形態５のまた別の記録再生装置での特徴点は、そのグラフィックマーク生成情報出力手段（２２０４）が、「フォルダマーク出力器」（２２０５）と、「フォルダマーク変更器」（２２０６）と、を有する点である。
【００８９】
以下に本実施形態の各構成について説明する。なお、本実施形態の構成において前記実施形態１等と同様の構成であるコンテンツファイル管理部と管理履歴情報保持部の各構成についてはその説明を省略する。また、本実施形態のＧＵＩ部と、グラフィックマーク生成情報出力手段も上記既に記載済みであるのでその説明は省略する。しかし、本実施形態は、そのグラフィックマーク生成情報出力手段において、「フォルダマーク出力器」（２２０５）と「フォルダマーク変更器」（２２０６）を有している点において実施形態１と異なる。そこで、ここでは本実施形態に特徴的なグラフィックマーク出力器（２２０５）とフォルダマーク変更器（２２０６）について説明する。
【００９０】
「フォルダマーク出力器」（２２０５）は、グラフィックマークとしてフォルダマークを出力するように構成されている。この「グラフィックマークとしてフォルダマークを出力する」処理の意図は以下のようなことである。すなわち例えば図６のＣで示したように、利用マークは、フォルダ形状のグラフィックを含むマークであっても良い。このような場合、ＧＵＩ部にてフォルダマークと利用マークを関連付けて出力する代わりに、そのフォルダ形状を含むグラフィックマークのみを出力することで、その関連付け出力と同様のグラフィック表示を行うことが可能である。そこでこのフォルダマーク出力器において、グラフィックマークとしてフォルダマークを出力する、ということである。
【００９１】
「フォルダマーク変更器」（２２０６）は、ＧＵＩ部にて表示されているフォルダマークをフォルダマーク出力器（２２０５）から出力されるフォルダマークに代えて表示するように構成されている。すなわち、当該フォルダマーク変更器は、グラフィックマークとしてフォルダマークを出力する際に、元の（利用マークが付されていない）フォルダマークを、フォルダ形状を含む利用マークであるグラフィックマークと置換して表示するということである。もちろん、すでに利用マークが付されて表示されているフォルダマークを、そのグラフィックマークに変更することも可能である。このようにして、利用マークがフォルダ形状のグラフィックを含むマークであるような場合でも、元々表示されていたフォルダマークとグラフィックが重複し視認しにくくなる等の事態の発生を防ぐことができる。
【００９２】
<実施形態５：別の構成２>  また、本実施形態の記録再生装置は、利用マークとしてグラフィックではなく音声による利用マークを出力する構成であっても良い。図２３は、その本実施形態の記録再生装置の、また別の一例を示す機能ブロック図である。この図に示す本実施形態の記録再生装置（２３００）は、実施形態１の構成要素であるコンテンツファイル管理部（２３０１）と、管理履歴情報保持部（２３０２）と、ＧＵＩ部（２３０３）とを有し、さらに、特徴点としてそのＧＵＩ部（２３０３）が、音声マーク生成情報出力手段（２３０４）を有している。
【００９３】
以下に本実施形態の各構成について説明する。なお、本実施形態の構成において前記実施形態１と同様の構成であるコンテンツファイル管理部と管理履歴情報保持部の各構成についてはその説明を省略する。また、本実施形態の記録再生装置は、図示していないが実施形態２や３、４、を基本としてその他の構成要件を備えていても良い。そして本実施形態のまた別の例のＧＵＩ部（２３０３）は、実施形態１と同様の基本構成を有するが、「音声マーク生成情報出力手段」（２３０４）を有している点において実施形態１と異なる。そこで、ここでは本実施形態に特徴的な音声マーク生成情報出力手段（２３０４）について説明する。
【００９４】
「音声マーク生成情報出力手段」（２３０４）は、音声マーク生成情報を出力するように構成されている。「音声マーク生成情報」とは、利用マークとして、音声マークを生成する情報をいい、例えば種々のデータ形式で格納された音声データが挙げられる。「音声マーク」とは、その音声データに基づく音声出力による利用マークである。音声出力による利用マークとは、例えば「このフォルダには未再生の録画番組が入っています。」といった音声、音楽データや、ＢＥＥＰ音（例えば短音１回ならば未再生、長音１回ならば途中再生、短音２回ならば古い、等）、あるいは、ＭＩＤＩ音、等が挙げられる。そして図２４に示すようにそれら音声がスピーカ等の音声出力装置から音声として発せられることにより、ユーザーはそのフォルダマークが例えば「未再生」等所定の利用マークと関連付けられていること確認できる。
【００９５】
そして、この音声マークを生成するための情報が「音声マーク生成情報」であるが、その出力は、グラフィックマーク同様、ハードウェア構成的には以下のようにして処理されると良い。すなわち、ＨＤＤ等の所定アドレスに記録されている音声マーク生成情報である音声データをメモリに読み込むため、そのアドレスを指定する命令が送出される。そしてその命令に従い、メモリに格納された音声データがＣＰＵやサウンド専用チップの処理によりスピーカ等の音声出力装置に対して出力される。そしてその音声データに基づいて例えば「このフォルダには未再生の録画番組が入っています」等の音声がスピーカから出力される、という具合である。
【００９６】
<実施形態５：効果>  本実施形態によれば、任意のグラフィックや音声によって利用マークを表示することができる。したがって、ユーザーがその利用マークが伝達する「未再生」「記録後かなり経過」等のコンテンツファイルの利用状況についてより把握しやすくなる。
【図面の簡単な説明】
【００９７】
【図１】実施形態１の記録再生装置により表示されるＧＵＩ機能を備えた表示画面の一例を表す図
【図２】実施形態１の記録再生装置の構成の一例を説明するための機能ブロック図
【図３】実施形態１の記録再生装置のコンテンツファイル管理部での管理に利用される管理テーブルの一例を説明するための概念図
【図４】実施形態１の記録再生装置の管理履歴情報保持部で保持されている管理履歴情報の一例を説明するための概念図
【図５】実施形態１の記録再生装置のＧＵＩ部にて出力されるフォルダマークのモニタ上での表示例を表す図
【図６】実施形態１の記録再生装置のＧＵＩ部にて関連付けて出力されるフォルダマークと利用マークのモニタ上での表示例を表す図
【図７】実施形態１の記録再生装置におけるハードウェア構成の一例を表す概略図
【図８】実施形態１の記録再生装置における処理の流れの一例を説明するためのフローチャート
【図９】実施形態２の記録再生装置により表示されるＧＵＩ機能を備えた表示画面の一例を表す図
【図１０】実施形態２の記録再生装置の構成の一例を説明するための機能ブロック図
【図１１】実施形態２の記録再生装置のヘルプ情報出力手段により表示される利用マークヘルプ情報の一例を説明するための図
【図１２】実施形態２の記録再生装置のヘルプ情報出力手段により表示される利用マークヘルプ情報の、別の一例を説明するための図
【図１３】実施形態３の記録再生装置の構成の一例を説明するための機能ブロック図
【図１４】実施形態３の記録再生装置の再生・未再生マーク出力手段によって表示されるグラフィック形態の再生・未再生マークの表示例を表す図
【図１５】実施形態３の記録再生装置の再生頻度マーク出力手段によって表示されるグラフィック形態の再生頻度マークの表示例を表す図
【図１６】実施形態３の記録再生装置の保持期間マーク出力手段によって表示されるグラフィック形態の保持期間マークの表示例を表す図
【図１７】実施形態４の記録再生装置の構成の一例を説明するための機能ブロック図
【図１８】実施形態４の記録再生装置の利用マーク出力手段選択手段における選択によって選択された利用マークの表示例を表す図
【図１９】実施形態４の記録再生装置における処理の流れの一例を説明するためのフローチャート
【図２０】実施形態５の記録再生装置の構成の一例を説明するための機能ブロック図
【図２１】実施形態５の記録再生装置のグラフィックマーク生成情報出力手段にて出力されたグラフィックマーク生成情報の一例を説明するための模式図
【図２２】実施形態５の記録再生装置の構成の、別の一例を説明するための機能ブロック図
【図２３】実施形態５の記録再生装置の構成の、また別の一例を説明するための機能ブロック図
【図２４】実施形態５の記録再生装置の音声マーク生成情報出力手段より出力された音声マーク生成情報に基づく出力音声の一例を表す概念図
【図２５】実施形態１の記録再生装置により表示されるＧＵＩ機能を備えた表示画面の、別の一例を表す図
【符号の説明】
【００９８】
０２００：記録再生装置
０２０１：コンテンツファイル管理部
０２０２：管理履歴情報保持部
０２０３：ＧＵＩ部
【図１】
2007109334.tif 000003
【図２】
2007109334.tif 000004
【図３】
2007109334.tif 000005
【図４】
2007109334.tif 000006
【図５】
2007109334.tif 000007
【図６】
2007109334.tif 000008
【図７】
2007109334.tif 000009
【図８】
2007109334.tif 000010
【図９】
2007109334.tif 000011
【図１０】
2007109334.tif 000012
【図１１】
2007109334.tif 000013
【図１２】
2007109334.tif 000014
【図１３】
2007109334.tif 000015
【図１４】
2007109334.tif 000016
【図１５】
2007109334.tif 000017
【図１６】
2007109334.tif 000018
【図１７】
2007109334.tif 000019
【図１８】
2007109334.tif 000020
【図１９】
2007109334.tif 000021
【図２０】
2007109334.tif 000022
【図２１】
2007109334.tif 000023
【図２２】
2007109334.tif 000024
【図２３】
2007109334.tif 000025
【図２４】
2007109334.tif 000026
【図２５】
2007109334.tif 000027